(57)【要約】      （修正有）【課題】多数本のコーンバーを長さに関係なく一度に収納し、運搬が可能で、容易に出し入れが出来て、整理整頓、収納スペースの縮小、作業能率の向上に役立つコーンバーの収納台を提供する。【解決手段】コーンバーの収納台は横長方形の井型底盤１にコーンバーの片端をＵ字型挟み金物３ａ、３ｂで挟み、他方のコーンバー取付リングをヘヤーピン状通し棒４ａ、４ｂに通してコーンバーを収納する。コーンバーを横に簾状に積み上げて、それを二列に並べてコーンバーの長さの大小に関係なくコーンバーの収納台に乗せる事が出来る。コーンバーの多数本の収納が可能で運搬時は台車に成り、収納スペースの縮小、収納庫の整理整頓、コーンバーの出し入れもスムーズに成り、作業能率の向上と成る。【選択図】図１
0003232816.tif 000002
【実用新案登録請求の範囲】
【請求項１】
２本の平金物（１ａ、１ｂ）とそれの両端を連結する連結金物（２ａ、２ｂ）とで構成された横長方型の井型底盤（１）と、その片端の連結金物（２ａ）の中程にＵ字型挟み金物（３ａ、３ｂ）を垂直に取付け、井型底盤（１）の他の片端の連結金物（２ｂ）の中程にコーンバー（１１）の両端に付いているコーンバー取付リング（１１ａ）を通す為のヘヤーピン状リング通し棒（４ａ、４ｂ）を曲部を上にして井型底盤（１）の中央向きにやや傾斜して、ヘヤーピン状リング通し棒の中心（１２）が対向するＵ字型挟み金物（３ａ、３ｂ）のそれぞれの中央の位置に成る様に取付ける事を特徴とするコーンバーの収納台。
【請求項２】
連結金物（２ａ、２ｂ）の両端にＬ型脚金物（８ａ，８ｂ）を取付け、それの地面に着く部分に磁石（９）を取付け、井型底盤（１）の他の片端の連結金物（２ｂ）側に縦コの字型手押し（５）を取付け、その上端及び中程の横棒の部分に回転筒（７ａ、７ｂ）を取付け、他の片端の連結金物（２ｂ）の裏の左右にＬ型脚金物（８ｂ）の高さよりも低い車輪（６）を取付け、Ｕ字型挟み金物（３ａ、３ｂ）の上部両端に留紐（１０ａ、１０ｂ）を付ける事を特徴とする請求項１に記載のコーンバーの収納台。
【考案の詳細な説明】
【技術分野】
【０００１】
本考案は、コーンバーを横重ねに簾状に収納し、又台車ともなる、コーンバーの収納台に関するものである。
【背景技術】
【０００２】
コーンバーが車の荷台や物置に乱雑に折重なってその上に他の物が置かれて、コーンバーを使用する時には他の物を避けたりして、大変出し辛かった、又コーンバーを片付ける時は其々のコーンバーがまとまらず横に散らかって整理整頓が出来なかった、またコーンバーをまとめて運ぶ時も持ち辛く重かった、これを改善する為に、特許文献１の様な保安用具の台車が知られている。
【先行技術文献】
【特許文献】
【０００３】
【特許文献１】実用新案登録第３２３１２４４号公報
【考案の概要】
【考案が解決しようとする課題】
【０００４】
実様新案登録第３２３１２４４号公報の課題（本考案はこの文献の改良である）を記載する。前記の考案は保安用具の台車で有って、カラーコーン（登録商標）とコーンバーの二種類の保安用具を積込むので、運搬の時や車の荷台等に積込むのに、重さと、保安用具の台車の幅が有り車の荷台のスペースを取った。本考案のコーンバーの収納台はコーンバー単一の収納台にもなり、台車にもなる。従来からの、コーンバーの収納は車の荷台や物置に折重なって乱雑に置かれ、コーンバーを取り辛く、整理整頓が出来ずに、その設置でスペースも取った、この様な事象を解決しようとするのが本考案である。    
【課題を解決するための手段】
【０００５】
上記課題を解決するために、本考案のコーンバーの収納台は、２本の平金物（１ａ、１ｂ）とそれの両端を連結する連結金物（２ａ、２ｂ）とで構成された横長方型の井型底盤（１）と、その片端の連結金物（２ａ）の中程にＵ字型挟み金物（３ａ、３ｂ）を垂直に取付け、井型底盤（１）の他の片端の連結金物（２ｂ）の中程にコーンバー（１１）の両端に付いているコーンバー取付リング（１１ａ）を通す為のヘヤーピン状リング通し棒（４ａ、４ｂ）を曲部を上にして井型底盤（１）の中央向きにやや傾斜して、ヘヤーピン状リング通し棒の中心（１２）が対向するＵ字型挟み金物（３ａ、３ｂ）のそれぞれの中央の位置に成る様に取付ける事を特徴とする。また、本考案のコーンバーの収納台は、連結金物（２ａ、２ｂ）の両端にＬ型脚金物（８ａ，８ｂ）を取付け、それの地面に着く部分に磁石（９）を取付け、井型底盤（１）の他の片端の連結金物（２ｂ）側に縦コの字型手押し（５）を取付け、その上端及び中程の横棒の部分に回転筒（７ａ、７ｂ）を取付け、他の片端の連結金物（２ｂ）の裏の左右にＬ型脚金物（８ｂ）の高さよりも低い車輪（６）を取付け、Ｕ字型挟み金物（３ａ、３ｂ）の上部両端に留紐（１０ａ、１０ｂ）を付けてもよい。
【考案の効果】
【０００６】
本考案のコーンバーの収納台は、コーンバー（１１）の収納と運搬ができる。倉庫にあるコーンバー（１１）を作業現場へ運搬する場合は、まずコーンバー（１１）を収納台に乗せ、この収納台で車まで運搬し、収納台ごと車の荷台に乗せて現場まで運ぶ。現場では、コーンバー（１１）を直接あるいは収納台に乗せたまま使用場所に持っていくことができる。本考案のコーンバーの収納台は、コーンバーを一本ずつを横に重ねて簾状に多数本のコーンバー（１１）を二列に収納が出来て、コーンバー（１１）の長さの大小に関わりなく収納が出来る、使用する時には一本毎に取り出しが出来る。従来よりもコーンバー（１１）の収納がコンパクトに出来て、車の荷台や物置等のスペースが広く使用が出来、縦コの字型手押し（５）を底にしてコーンバーの収納台を縦向けに設置も出来る。コーンバーの収納台を運ぶ時は、取り付けられた車輪（６）に依り台車と成り、其々のＬ型脚金物（８）の裏に付けられた磁石（９）で車の荷台に於ける移動を抑える事が出来て、作業能率が上り、整理整頓が出来て、収納スペースがコンパクトと成り、運搬も楽に出来る。
【図面の簡単な説明】
【０００７】
【図１】本考案のコーンバーの収納台の構成図であり、（ａ）は全体の斜視図、（ｂ）は左側面図、（ｃ）は右側面図である。
【図２】本考案のコーンバーの収納台にコーンバーを収納した様子の図である。
【図３】本考案のコーンバーの収納台を縦向けにしてコーンバーを収納した様子の図である。
【考案を実施するための形態】
【０００８】
本考案のコーンバーの収納台は、コーンバー（１１）の両端を、それぞれに片端は垂直に取付けたＵ字型挟み金物（３ａ、３ｂ）で挟み、他方の端のコーンバーの取付リング（１１ａ）をヘヤーピン状リング通し棒（４ａ、４ｂ）に差し込んで、複数本のコーンバー（１１）を横に簾状に積み重ねて、二列に収納する事で多数本のコーンバー（１１）の長さに関係なく収納され、コーンバーの収納台の設置のスペースに依っては横向き、縦向きの二方向に設置が出来る。縦向きに設置する時は縦コの字型手押し（５）を底にして、それに取付けられた回転筒（７ａ、７ｂ）で荷台の床を滑らせて設置する。井型底盤（１）の他の片端の連結金物（２ｂ）の裏の左右に取付られた車輪（９）を、縦コの字型手押し（５）に依りコーンバーの収納台を傾斜して車輪（９）を地面に着かせて台車と成る。
【実施例】
【０００９】
本考案の構成について図面に従って説明する、本考案のコーンバーの収納台は、図１及び図２に示すように、２本の平金物（１ａ、１ｂ）と、それの両端を連結する連結金物（２ａ、２ｂ）とで、構成された横長方型の井型底盤（１）で、その片端の連結金物（２ａ、）の中程にＵ字型挟み金物（３ａ、３ｂ）二本を垂直に取付、コンーバー（１１）の直経よりもやや幅の間隔を短くした、Ｕ字型挟み金物（３ａ、３ｂ）でそれがＵ字型であり、それに依りコンーバー（１１）を挟み込む弾力が強くなり、しっかりと挟み込む事が出来る、又井型底盤（１）の他の片端の連結金物（２ｂ）の中程にコーンバー（１１）の両端に付ている片端のコーンバー取付リング（１１ａ）の内径の長さよりやや狭い間隔で施した、ヘヤーピン状リング通し棒（４ａ、４ｂ）に依り、ヘヤーピン状リング通し棒（４ａ、４ｂ）とコーンバー取付リング（１１ａ）の間に大きな隙間が出来ず、横向きに成ったり、ずれたりはしない事と、二列に収納されている横隣のコーンバー取付リング（１１ａ）と接触し重ならない様にする為のもので、ヘヤーピン状リング通し棒（４ａ、４ｂ）の２本は、井型底盤（１）の中央向きに、上部の曲部をやや傾斜して、ヘヤーピン状リング通し棒の中心（１２）が対向するＵ字型挟み金物（３ａ、３ｂ）のそれぞれの中央の位置に成る様に取付け、コーンバー（１１）がＵ字型挟み金物（３ａ、３ｂ）側から取り出す時に手前に引出して取り易くなり、コーンバー（１１）の長さの大小に関係なく収納が出来る。ここで、ヘヤーピン状リング通し棒（４ａ、４ｂ）は１本の金属棒を折り曲げて、折り曲げた部分がヘアーピン状に丸くなるように加工したものである。
【００１０】
コーンバーの収納台を縦向けに設置した時も、図３に示すようにヘヤーピン状リング通し棒（４ａ、４ｂ）が、井型底盤（１）の中央向きにやや傾斜して取付られている為に、ヘヤーピン状リング通し棒（４ａ、４ｂ）は上向きとなり、それからコーンバー取付リング（１１ａ）はズレ落ちない。又垂直に取付たＵ字型挟み金物（３ａ、３ｂ）の上部の端に付けた留紐（１０ａ、１０ｂ）で、傾斜したコーンバー（１１）がＵ字型挟み金物（３ａ、３ｂ）から飛び出すのを留めることができる。
【００１１】
コーンバーの収納台の他の片端の連結金物（２ｂ）側（右側）に取付の、台車を押す為の縦コ字型手押し（５）の上端及び中程の横棒の部分に回転筒（７ａ、７ｂ）を取付け、コーンバーの収納台を縦コ字型手押し（５）を底にして縦に設置する時には二か所に取付けた回転筒（７ａ、７ｂ）に依り、車の荷台の床を回転しコーンバーの収納台の移動が容易に出来る。
【００１２】
縦コ字型手押し（５）に依りコーンバーの収納台を傾斜させ、その連結金物（２ｂ）の裏
側の左右に付けられた、車輪（６）を地面に着ける事に依り台車と成る、井型底盤（１）
の左右の端に付けられた、連結金物（２ａ、２ｂ）の其々の両端に付けたＬ型脚（８ａ、
８ｂ）でコーンバーの収納台の脚と成りそれを支え、そのＬ型脚（８）の底に磁石（９）
を取り付ける事で、車の荷台等に設置されたコーンバーの収納台の移動を抑える事が出来
る。
【００１３】
なお、対向するＵ字型挟み金物（３ａ、３ｂ）とヘヤーピン状リング通し棒（４ａ、４ｂ）の本数については、実施例では２本としたが、１本でも3本以上でも任意の数でよい。又ヘヤーピン状リング通し棒（４ａ、４ｂ）の取付けの向きは、対向するＵ字型挟み金物（３ａ、３ｂ）に対して横向き、縦向き、のどちらでも良い。
【符号の説明】
【００１４】
１  井型底盤  
１ａ、１ｂ  平鋼  
２ａ、２ｂ  連結金物
３ａ、３ｂ  Ｕ型挟み金物
４ａ、４ｂ  ヘヤーピン状リング通し棒
５  縦コの字型手押し
６  車輪  
７ａ、７ｂ  回転筒
８ａ、８ｂ  Ｌ型脚
９   磁石
１０ａ、１０ｂ  留紐
１１  コーンバー
１１ａ  コーンバーの取付リング
１２  ヘヤーピン状リング通し棒の中心
【図１】
0003232816.tif 000003
【図２】
0003232816.tif 000004
【図３】
0003232816.tif 000005